(57)【要約】【課題】軽量で、据付が容易であり、且つ安価な岩盤浴用ベッドを提供すること。【解決手段】金属で形成された枠体１内に、下から、木または金属などから形成された板材２、断熱材３、ヒータ４、カーボン板５を層状に重ねた層状体が配置される。ヒータ４としては、セラミックスヒータ等を用いることができ、カーボン板５としては、型込成形、押出成形などにより成形した材料を焼成して黒鉛化し、所望の形状に加工し高純度化したカーボン板を使用することができる。上記岩盤浴用ベッドを使用するには、ヒータ４に給電してヒータによりカーボン板を所望の温度に加熱し、カーボン板の上に体を横たえる。カーボンからは遠赤外線が放射されるので、体が芯から温まり、発汗作用を促すことにより代謝を促進させることができ、岩盤浴としての効果を得ることができる。【選択図】図１
0003117946.tif 000002
【実用新案登録請求の範囲】
【請求項１】
カーボン材を温床とした岩盤浴用のベッドであって、
上記ベッドは、枠体内に配置された板状の断熱材と、該断熱材上に載置されたヒータと、該ヒータ上に載置された板状のカーボン材から構成される
ことを特徴とする岩盤浴用ベッド。
【請求項２】
上記カーボン材は、成形した材料を焼成して黒鉛化したカーボン板であることを特徴とする請求項１記載の岩盤浴用ベッド。
【考案の詳細な説明】
【技術分野】
【０００１】
本考案は岩盤浴用のベッドに関し、特に軽量で据付が比較的容易な岩盤浴用ベッドに関するものである。
【背景技術】
【０００２】
近年、暖められた岩盤の上に体を横たえて、体を温める岩盤浴が人気を博しており、岩盤浴が可能な施設なども増加している。
岩盤浴は、岩盤から放射される熱等により発汗作用を生じさせ、リラクゼーション効果等を得るものであり、血行をよくし、細胞の活性化を図り、新陳代謝機能を高める等の効果があるといわれている。
岩盤浴は本来、温泉地などで地熱により暖められた天然の岩盤により行うものであったが、近年では、温泉地まで行かずに手軽に岩盤浴を楽しめるようにした岩盤浴用設備も利用されるようになってきている。
上記岩盤浴用の設備として、例えば特許文献１、特許文献２に記載のもの等が提案されている。
【０００３】
上記特許文献１には、第１の木質パネルと硬質断熱材とアルミニウム板とガラス繊維マットと第２の木質パネルとヒータと、その上に塗布されたウレタン樹脂と、ウレタン樹脂の上に散布された多数のゴム片と遠赤外線放射混合体とを含む層状構造体を備えた可搬式又は移動式の岩盤浴用装置が記載されている。上記遠赤外線放射混合体として、特許文献１には粉状の黒鉛珪石、粉状のラジウム鉱石、及びセメントを混合したものに水を添加して硬化させるたものを使用する旨の記載がある。
また、特許文献２には、上下二段組みとしたパイプを、密閉型浴室内の土間コンクリート上に敷設し、その上に保護コンクリート層を介して育成波コンクリート層を形成し、適宜区画されたスペースに育成波エネルギーを発生する原石平板を略面一状に埋設したものとし、上下二段組みとした各パイプに、夫々専用ボイラから循環給湯可能とした温浴施設が記載されている。
上記育成波コンクリート層には自然石粉末が混練され、また上記原石平板は自然石からを切り出された所定の大きさの平板である。この自然石としては、角閃石、天帝石、トルマリン、紫水晶等が例示されている。
また、特許文献３には、トルマリンなどの鉱石をパウダー状にしてセメントで固めて人工石を形成し、これを暖めて岩盤浴に利用することが記載されている。
【特許文献１】特開２００５−８７３４９号公報
【特許文献２】特開２００５−８７６５１号公報
【特許文献３】特開２００５−１３９０５９号公報
【考案の開示】
【考案が解決しようとする課題】
【０００４】
岩盤浴用設備では、岩盤として、例えば上記特許文献１−３に記載されるように、黒鉛珪石、トルマリン等の自然石を粉状にしてセメント等で固めたものや、これら自然石を切り出して平板状にしたものが使用されていた。
しかし、自然石を切り出して平板状としたものは割れ易く、しかも比較的高価である。また、自然石を粉状にしてセメント等で固めたものは、任意の形状とすることができ、また比較的安価に製造することができると考えられるが、薄い板状に形成した場合、割れ易く強度が充分でないという問題がある。
このため、岩盤浴用装置を可搬式又は移動式とする場合には、多層構造にして強度を確保する必要がある。このため重量も大きくなり、持ち運びも容易ではなく、また、据付にも労力を要することになる。
また、黒鉛珪石、トルマリン等の岩盤浴用に使用される自然石は比較的入手が困難であり、これらを使用した岩盤浴用設備は高価となるといった問題もあった。
本考案は、上記事情に鑑みなされたものであって、本考案は、軽量で、据付も容易であり、且つ安価な岩盤浴用ベッドを提供することを目的とする。
【課題を解決するための手段】
【０００５】
本考案においては、上記課題を次のように解決する。
（１）岩盤浴用ベッドを、枠体内に配置された板状の断熱材と、該断熱材上に載置されたヒータと、該ヒータ上に載置された板状のカーボン材から構成し、カーボン材を岩盤浴用の温床とする。
（２）上記（１）のカーボン材として、成形した材料を焼成して黒鉛化したカーボン板を用いる。
【考案の効果】
【０００６】
本考案においては、上記のように岩盤浴用ベッドの温床として、カーボン材を用いたので、以下の効果を得ることができる。
（１）カーボン材は熱伝導性が優れ、比熱が高いという特徴があり、カーボンから遠赤外線が放射されるので、カーボン材を用いた岩盤浴用ベッドを用いることにより、体が芯から温まり、発汗作用を促すして代謝を促進させることができる。このため、健康の回復、増進の効能を期待することができる。
（２）カーボン板は、自然石を用いたものと比べて割れにくい。このため、温床としてカーボン板を使用することにより、岩盤浴用ベッドを比較的簡単な構造とすることができ、厚さも薄くすることができる。したがって、軽量で、輸送も容易であり、さらに簡便に据付が可能な岩盤浴用ベッドを得ることができる。
（３）カーボン板は熱衝撃が強いので、加熱された状態で水洗いしても割れず、また、薬品に強いのでメンテナンスも容易である。
【考案を実施するための最良の形態】
【０００７】
図１、図２は本考案の岩盤浴用ベッドの外観構成を示す図であり、図１（ａ）は上から見た図、図１（ｂ）は同図（ａ）のＡ−Ａ断面図、図２は図１（ｂ）のＢ部の詳細図である。
図１、図２において、１は金属で形成された枠体であり、枠体１内に、図２に示すように下から、木または金属などから形成された板材２、断熱材３、ヒータ４、カーボン板５を層状に重ねた層状体が配置される。なお、図２に示すように枠体１から支持部１ａが枠体の内周方向に突出しており、この支持体１ａにより上記板材２が支持される。
上記板材２、断熱材３、ヒータ４、カーボン板５は一体に構成されていてもよいし、また、別体とし枠体１内に順番に載せていくことにより岩盤浴用ベッドを組立てるようにしてもよい。
上記岩盤浴用ベッドは例えば長さＬが２０００ｍｍ、幅Ｄが８００ｍｍの通常のベッドと同程度の大きさであり、高さＨは例えば１００ｍｍ程度である。また、枠体１は例えば１００×１００ｍｍのステンレス製の中空の角柱である。
【０００８】
上記ヒータ４としては、セラミックスヒータ等、電気的加熱ヒータを用いることができるが、例えば電気的ヒータに代えて、パイプを敷設し、パイプ内に温水などを流すことにより暖めるようにしてもよい。
上記カーボン板５としては、型込成形、押出成形などにより成形した材料を焼成して黒鉛化し、所望の形状に加工した、例えば半導体引き上げ用部品等に使用される高純度（例えば灰分の含有率が０．５パーセント以下）のカーボン板［例えば新日本カーボン（株）社製の型込成形品、押出成形品型等］を使用することができる。
なお、カーボン板としては、カーボンの純度はそれほど問題としないが、ある程度の強度がある板を使用する必要があり、人の体重を支えることができ、輸送などに支障がない程度の強度が必要である。カーボン板の厚さは、その強度に応じて適宜定めればよく、本実施例では厚さが４０ｍｍのカーボン板を使用した。板材２、断熱材３、ヒータ４、カーボン板５を合わせた厚さは約７０ｍｍである。
なお、大型のカーボン板は、入手が困難で、輸送も容易でないので、図１に示すように、所定の厚さで所定の大きさの複数枚のカーボン板を組み合わせて使用するのが望ましい。図１では、一例として、５枚のカーボン板を並べて使用した場合を示している。
【０００９】
図３はヒータの配置例を示す図であり、同図は４組のセラミックスヒータ４を用いた場合を示している。
同図に示すように、断熱材の上に４組のヒータ４が配置され、各ヒータ４は温度制御部１０に接続されている。また、カーボン板の温度を測定するための温度センサ１１が設けられこのセンサ１１の出力が温度制御部１０に送られる。
温度制御部１０には、例えば温度設定部１０ａとタイマー１０ｂが設けられる。そして、温度制御部１０は上記センサ１１で測定された温度が、上記温度設定部１０ａで設定された温度になるように上記ヒータ４への給電量を制御する。また、タイマー１０ｂにより、加熱する時間を所望の時間に設定することができる。
なお上記温度設定値を予め定めたパターンで変化させるプログラムタイマーを温度制御部１０に設け、岩盤浴用ベッドの温度を予め設定されたパターンで変化させるようにしてもよい。
【００１０】
カーボン板は、熱膨張が小さく、熱衝撃に強く、熱伝導性が優れ、また、比熱が高いという特徴があり、さらに、前記した自然石を切り出したもの、あるいは自然石をコンクリートなどで固めたものと比べて割れにくい。
このため、温床としてカーボン板を使用することにより、図１に示すように比較的簡単な構造とすることができ、また、厚さも薄くすることができる。したがって、自然石を用いたものと比べ、軽量で、輸送も容易であり、さらに簡便に据付が可能な岩盤浴用ベッドを得ることができる。
上記岩盤浴用ベッドを使用するには、ヒータ４に給電してヒータ４によりカーボン板５を所望の温度に加熱し、カーボン板５の上に体を横たえる。
カーボンからは遠赤外線が放射されるので、体が芯から温まり、発汗作用を促すことにより代謝を促進させることができ、岩盤浴としての効果を得ることができる。
また、カーボン板は熱衝撃が強いので加熱された状態で水洗いしても割れず、また、薬品に強く、潤滑性もあるので、メンテナンスも容易である。
【図面の簡単な説明】
【００１１】
【図１】本考案の実施例の岩盤浴用ベッドの構成を示す図である。
【図２】図１のＢ部の詳細構成を示す図である。
【図３】ヒータの配置例を示す図である。
【符号の説明】
【００１２】
１    枠体
２    板材
３    断熱材
４    ヒータ
５    カーボン板
１０  温度制御部
【図１】
0003117946.tif 000003
【図２】
0003117946.tif 000004
【図３】
0003117946.tif 000005